【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
海底地層から収集した資源を収集資源貯蔵タンクまで送る資源収集管と、
前記資源収集管に周設され、前記資源収集管を保護する保護管と、
海面上又は前記保護管の内部に配置された巻取り用のリールから繰り出され、前記保護管の側壁を貫通して内側から外側に伸びるコイルドチュービング装置と、を有し、
前記コイルドチュービング装置を通って、前記海底地層の中に、
発泡材の原液、燃料ガス、及び酸素を含む空気を供給し、
又は前記発泡材の原液、燃料ガス発生材、高圧水、及び前記空気を供給して前記燃料ガス発生材と前記高圧水との化学反応によって、若しくは前記燃料ガス発生材による前記海底地層の分解促進によって、前記燃料ガスを発生させ、
前記発泡材の原液を互いに混合して前記燃料ガス及び前記空気を含む雰囲気中で発泡させ、発泡材の空洞内に溜まった前記燃料ガスを爆発的に燃焼させることによって、前記海底地層を破砕する資源収集システム。
【請求項２】
前記コイルドチュービング装置は、管状のチューブ外壁と、前記チューブ外壁に設けられた開口と、前記開口の内側に設けられた混合室と、を備え、
前記発泡材の原液を前記混合室で互いに混合した後に、その混合物を、前記燃料ガス及び前記空気と共に前記開口を通って前記海底地層と前記チューブ外壁との間に供給する請求項１に記載の資源収集システム。
【請求項３】
前記発泡材の原液を互いに混合して形成された発泡材は、導電体金属又はカーボンナノチューブを含み、
導電性を有する前記発泡材と前記チューブ外壁又は前記混合室に露出しかつ電気的に絶縁された点火配線との間に高電圧を印加することによって、前記発泡材の空洞内に溜まった燃料ガスに点火する請求項２に記載の資源収集システム。
【請求項４】
前記チューブ外壁又は前記混合室に設けられた点火プラグに高電圧を印加することによって、前記発泡材の空洞内に溜まった燃料ガスに点火する請求項２に記載の資源収集システム。
【請求項５】
高圧水及び高圧空気の少なくとも一方を使用して前記混合室を洗浄する請求項２〜４のいずれか１項に記載の資源収集システム。
【請求項６】
前記燃料ガス発生材は、カーバイド粒子であり、前記燃料ガスは、アセチレンガスであり、前記カーバイド粒子と前記高圧水との化学反応によって前記アセチレンガスを発生させる請求項１〜５のいずれか１項に記載の資源収集システム。
【請求項７】
前記燃料ガス発生材は、メタノールであり、前記海底地層は、メタンハイドレート層であり、前記燃料ガスは、メタンガスであり、前記メタノールによる前記メタンハイドレート層の分解促進によって前記メタンガスを発生させる請求項１〜５のいずれか１項に記載の資源収集システム。
【請求項８】
海底地層から収集した資源を収集資源貯蔵タンクまで送る資源収集管と、
前記資源収集管に周設され、前記資源収集管を保護する保護管と、
海面上又は前記保護管の内部に配置された巻取り用のリールから繰り出され、前記保護管の側壁を貫通して内側から外側に伸びるコイルドチュービング装置と、を有し、
前記コイルドチュービング装置は、
前記海底地層から収集した資源を前記収集資源管まで送るサブ資源収集管と、
前記サブ資源収集管に周設されたサブ側壁及び前記サブ側壁を貫通する複数のサブ側壁孔を備え、前記サブ資源収集管を保護するサブ保護管と、
前記サブ保護管の内部に配置され、前記海底地層からの土砂を除去するサブフィルタと、
前記複数のサブ側壁孔を開閉するために前記サブ保護管の外側及び前記サブ保護管と前記サブフィルタとの間の少なくとも一方に配置されたサブゲート管と、を有する資源収集システム。
【請求項９】
前記コイルドチュービング装置は、前記保護管の軸方向に対して少なくとも１つの位置に、各位置の周方向に所定の間隔で複数配置される請求項１〜８のいずれか１項に記載の資源収集システム。
【請求項１０】
海底地層から資源を収集するために前記海底地層の中に高圧水を供給する高圧水供給管と、
前記海底地層から収集した資源を収集資源貯蔵タンクまで送る資源収集管と、を有し、
前記高圧水供給管の中の高圧水に破砕粒子を混入し、前記破砕粒子を混入した高圧水によって、前記海底地層を破砕する資源収集システムであって、
前記破砕粒子は、セメント粒子の外側に、遅効性発熱体、膨張体、速効性発熱体が順にコーティングされたものであり、
前記遅効性発熱体は、前記高圧水の水分を吸収して発熱する材料をマイクロ波で焼成したものであり、
前記膨張体は、前記高圧水の水分を吸収して膨張する材料で形成されたものであり、
前記速効性発熱体は、前記遅効性発熱体と同一の材料を前記遅効性発熱体よりも短時間マイクロ波で焼成したもの、又はマイクロ波で焼成していないものである資源収集システム。
【請求項１１】
海底地層から収集した資源を収集資源貯蔵タンクまで送る資源収集管と、
前記資源収集管に周設された側壁及び前記側壁を貫通する複数の側壁孔を備え、前記資源収集管を保護する保護管と、
前記保護管の内部に配置され、前記海底地層からの土砂を除去するフィルタと、
前記複数の側壁孔を開閉するために前記保護管の外側及び前記保護管と前記フィルタとの間の少なくとも一方に配置されたゲート管と、を有し、
前記海底地層から資源を収集する時に前記複数の側壁孔を開き、それ以外の時に前記複数の側壁孔を閉じる資源収集システム。
【請求項１２】
前記保護管の内側の圧力を前記保護管の外側の海底地層と同じ圧力まで上昇させた後に、前記複数の側壁孔を開く請求項１１に記載の資源収集システム。
【請求項１３】
前記保護管の側壁の軸方向の貫通孔又はらせん状の貫通孔、及び前記ゲート管の側壁の軸方向の貫通孔又はらせん状の貫通孔の少なくとも一方の中に高圧熱水又は高圧蒸気を流すことによって、前記保護管と前記ゲート管との間及び前記複数の側壁孔の中での海水の凍結を防止する請求項１１又は１２に記載の資源収集システム。
【請求項１４】
高圧水にコーティング剤を混入し、前記複数の側壁孔を閉じた状態で、前記コーティング剤を混入した高圧水を、前記資源を収集する時に前記資源が前記フィルタの中を流れる方向と同じ方向に流すことによって、前記フィルタをコーティングする請求項１１〜１３のいずれか１項に記載の資源収集システム。
【請求項１５】
前記複数の側壁孔を閉じた状態で、高圧水を、前記資源を収集する時に前記資源が前記フィルタの中を流れる方向と逆方向に流すことによって、前記フィルタの内部を洗浄する請求項１１〜１４のいずれか１項に記載の資源収集システム。
【請求項１６】
さらに、前記複数の側壁孔を閉じた状態で、高圧熱水又は高圧蒸気を前記フィルタの表面に流すことによって、前記フィルタの表面を洗浄する請求項１５に記載の資源収集システム。
【請求項１７】
さらに、前記フィルタの内側に配置された二次側壁及び前記二次側壁を貫通する複数の二次側壁孔を備える二次保護管と、
前記二次保護管の内部に配置され、前記海底地層からの土砂を除去する二次フィルタと、
前記複数の二次側壁孔を開閉するために前記フィルタと前記二次保護管との間及び前記二次保護管と前記二次フィルタとの間の少なくとも一方に配置された二次ゲート管と、を有する請求項１１〜１６のいずれか１項に記載の資源収集システム。
【請求項１８】
前記保護管は、前記側壁の一端から伸びる半球状の底壁及び前記底壁を貫通する複数の底壁孔を備える請求項１１〜１７のいずれか１項に記載の資源収集システム。
【請求項１９】
海底地層から収集した資源を収集資源貯蔵タンクまで送る資源収集管と、
前記資源収集管に周設され、前記資源収集管を保護する保護管と、
前記保護管の内部に配置され、前記海底地層からの土砂を除去するフィルタと、を有し、
更に、
（１）高圧ポンプを使用して、前記フィルタが除去した土砂を前記保護管の側壁の開口から前記海底地層に向かって押し出すこと、
（２）前記保護管は、軸方向を海面に対して上下に向けて配置され、
前記資源収集管は、前記フィルタの上方に設けられたガス貯留室に接続されたガス収集管と、前記フィルタの下方に設けられたオイル貯留室に接続されたオイル収集管と、を含み、
前記フィルタは、長手方向に貫通する資源収集孔を備え、
前記フィルタを外側から内側に向かって通過して前記資源収集孔に到達した資源の内、ガスを前記ガス貯留室まで上昇させ、オイルを前記オイル貯留室まで下降させること、
（３）前記フィルタは、円柱状の複数のエレメントを含み、
各エレメントは、長手方向に対して少なくとも１つの位置に、各位置の周方向に所定の間隔で配置されること、
（４）前記フィルタの長手方向の貫通孔の中に高圧熱水又は高圧蒸気を流すことによって、前記フィルタの表面及び内部での海水の凍結を防止すること、
（５）前記フィルタは、エレメントの内部に磁性体粉末付き珪藻土を保持するように配置された永久磁石と、前記永久磁石による前記磁性体粉末付き珪藻土の保持力を弱める減磁手段と、を備え、
前記減磁手段を作動させることによって、前記永久磁石が保持する前記磁性体粉末付き珪藻土の量を減らすこと、
（６）前記フィルタは、エレメントの内部に磁性体粉末付き珪藻土を保持するように配置された電磁石コイルを備え、
前記電磁石コイルに通電することによって、前記電磁石コイルによる前記磁性体粉末付き珪藻土の保持力を発生させること、
（７）前記フィルタは、らせん状金属ワイヤと、前記らせん状金属ワイヤの直線軸方向に伸びかつ前記らせん状金属ワイヤに固定された支柱と、を備え、
前記支柱の長手方向の貫通孔又は前記らせん状金属ワイヤのらせん状の貫通孔の中に高圧熱水又は高圧蒸気を流すことによって、前記らせん状金属ワイヤの表面での海水の凍結を防止すること、
（８）前記フィルタの表面に高圧熱水又は高圧蒸気を当てることによって、前記フィルタの表面及び内部での海水の凍結を防止すること、
（９）前記フィルタの長手方向の両端の伝熱手段を通って前記フィルタに高圧熱水又は高圧蒸気の熱を伝えることによって、前記フィルタの表面及び内部での海水の凍結を防止すること、及び
（１０）前記フィルタは、綿状に絡み合った繊維状金属を積層して圧縮したものを備え、
前記フィルタの長手方向の貫通孔の中に高圧熱水又は高圧蒸気を流すことによって、前記フィルタの表面及び内部での海水の凍結を防止すること、
からなる以上の構成（１）〜（１０）の少なくとも１つを備える資源収集システム。
【請求項２０】
前記減磁手段は、前記永久磁石と反対の極がそれぞれ隣接するように前記永久磁石の内側又は外側に配置された電磁石コイルであり、
前記電磁石コイルに通電することによって、前記永久磁石が保持する前記磁性体粉末付き珪藻土の量を減らす請求項１９に記載の資源収集システム。
【請求項２１】
海底地層から収集した資源を収集資源貯蔵タンクまで送る資源収集管と、
前記資源収集管に周設され、前記資源収集管を保護する保護管と、
前記保護管の内部にＵ字状に設けられ、前記海底地層と前記保護管との間に循環流を発生させる循環流発生管と、
前記循環流発生管の途中に配置された高周波ヒータに電力を供給する電力供給装置と、を有し、
更に、
（１）前記電力供給装置は、ジェットタービンを備え、前記ジェットタービンは、前記海底地層から収集した資源を燃焼室で燃焼させて発生した燃焼ガスで駆動され、前記循環流発生管に高圧熱水又は高圧蒸気を供給すること、
（２）前記電力供給装置は、タービンを備え、前記タービンは、前記海底地層から収集した資源を水中バーナで燃焼させて発生した燃焼ガス及び蒸気で駆動され、前記循環流発生管に高圧熱水又は高圧蒸気を供給すること、
（３）前記電力供給装置は、前記海底地層から収集した資源と高温の蒸気とを反応させて得られた水素を使用して電力を供給する燃料電池であること、
（４）前記海底地層から収集される資源の量が減少した時に、前記循環流発生管の両端に設けられた可動管の角度を変えることによって、前記循環流の流路を短縮させると共に、前記可動管から前記海底地層に向かって高圧熱水又は高圧蒸気を噴射させること、
（５）前記循環流の流量が減少した時に、らせん状回転翼を回転させることによって、前記循環流発生管の中の土砂を前記循環流の方向に移動させること、
（６）前記電力供給装置は、前記海底地層の中の熱水鉱床の熱を電力に変換して供給する熱電変換装置であること、
からなる以上の構成（１）〜（６）の少なくとも１つを備える資源収集システム。
【請求項２２】
上記構成（４）、又は（５）において、前記海底地層に対して前記保護管を軸方向に移動させる前に、前記循環流発生管の２つの開口位置の海底地層に中にセメント粒子を供給する請求項２１に記載の資源収集システム。
【手続補正２】
【補正対象書類名】明細書
【補正対象項目名】００４４
【補正方法】変更
【補正の内容】
【００４４】
＜資源収集＞
本発明の資源収集システムを構成する資源収集装置２０は、資源収集管と保護管２２とフィルタ２４とを有する。資源収集管は、海底地層１８から収集した資源を収集資源貯蔵タンク１２ａまで送る。保護管２２は、資源収集管に周設され、資源収集管を保護する。フィルタ２４は、保護管２２の内部に配置され、海底地層１８からの土砂を除去する。保護管２２は、軸方向を海面に対して上下に向けて配置される。資源収集管は、ガス収集管２６とオイル収集管２８とを含み、ガス収集管２６は、フィルタ２４の上方に設けられたガス貯留室３０に接続され、オイル収集管２８は、フィルタ２４の下方に設けられたオイル貯留室３２に接続される。フィルタ２４は、長手方向に貫通する資源収集孔２４ｂを備える。本発明の資源収集システムは、フィルタ２４を外側から内側に向かって通過して資源収集孔２４ｂに到達した資源の内、ガスをガス貯留室３０まで上昇させ、オイルをオイル貯留室３２まで下降させる。
このような構成とすることで、本発明の資源収集システムは、ガスとオイルとを同時に収集できるので、より効率的に海底地層から資源を収集することができる。
【手続補正３】
【補正対象書類名】明細書
【補正対象項目名】００４５
【補正方法】変更
【補正の内容】
【００４５】
破砕された海底地層１８は、例えば、資源収集管に周設された保護管２２の側壁２２ａを貫通する少なくとも１つの側壁孔２２ｂを通ってフィルタ２４まで移動する。ガス収集管２６は、ブタンのような相対的に比重の大きいガスを収集するガス収集管２６ａと、メタンのような相対的に比重の小さいガスを収集するガス収集管２６ｂと、を含む。オイル収集管２８は、相対的に比重の大きいオイルを収集するオイル収集管２８ａと、相対的に比重の小さいオイルを収集するオイル収集管２８ｂと、を含む。フィルタ２４、資源収集孔２４ｂの形状、大きさ及び数は、特に制限的ではないが、最も効率的に資源を収集することができるように最適化されるのが好ましい。
【手続補正４】
【補正対象書類名】明細書
【補正対象項目名】００４６
【補正方法】変更
【補正の内容】
【００４６】
＜フィルタ配置＞
本発明の資源収集システムを構成する資源収集装置２０は、資源収集管と保護管２２とフィルタ２４とを有する。資源収集管は、海底地層１８から収集した資源を収集資源貯蔵タンク１２ａまで送る。保護管２２は、資源収集管に周設され、資源収集管を保護する。フィルタ２４は、保護管２２の内部に配置され、海底地層１８からの土砂を除去する。フィルタ２４は、円柱状の複数のエレメント２４ａを含み、各エレメント２４ａは、長手方向に対して少なくとも１つの位置に、各位置の周方向に所定の間隔で配置される。本発明の資源収集管は、ガス収集管２６とオイル収集管２８とを含む。
このような構成とすることで、本発明の資源収集システムは、同時には故障しにくいので、長時間連続して安定的に稼働することができる。
【手続補正５】
【補正対象書類名】明細書
【補正対象項目名】００４８
【補正方法】変更
【補正の内容】
【００４８】
＜フィルタ凍結防止＞
本発明の資源収集システムを構成する資源収集装置２０は、資源収集管と保護管２２とフィルタ２４とを有する。資源収集管は、海底地層１８から収集した資源を収集資源貯蔵タンク１２ａまで送る。保護管２２は、資源収集管に周設され、資源収集管を保護する。フィルタ２４は、保護管２２の内部に配置され、海底地層１８からの土砂を除去する。本発明の資源収集システムは、フィルタ２４の長手方向の貫通孔２４ｃの中に高圧熱水又は高圧蒸気を流すことによって、フィルタ２４の表面及び内部での海水の凍結を防止する。本発明の資源収集管は、ガス収集管２６とオイル収集管２８とを含む。
このような構成とすることで、本発明の資源収集システムは、故障しにくいので、長時間連続して安定的に稼働することができる。
【手続補正６】
【補正対象書類名】明細書
【補正対象項目名】００５１
【補正方法】変更
【補正の内容】
【００５１】
＜側壁孔付き保護管＞
本発明の資源収集システムを構成する資源収集装置２０は、資源収集管と保護管２２とフィルタ２４とゲート管３４とを有する。資源収集管は、海底地層１８から収集した資源を収集資源貯蔵タンク１２ａまで送る。保護管２２は、資源収集管に周設された側壁２２ａ及び側壁２２ａを貫通する複数の側壁孔２２ｂを備え、資源収集管を保護する。フィルタ２４は、保護管２２の内部に配置され、海底地層１８からの土砂を除去する。ゲート管３４は、複数の側壁孔２２ｂを開閉するために保護管２２の外側及び保護管２２とフィルタ２４との間の少なくとも一方に配置される。本発明の資源収集システムは、海底地層１８から資源を収集する時に複数の側壁孔２２ｂを開き、それ以外の時に複数の側壁孔２２ｂを閉じる。本発明の資源収集管は、ガス収集管２６とオイル収集管２８とを含む。
このような構成とすることで、本発明の資源収集システムは、故障しにくいので、長時間連続して安定的に稼働することができる。
【手続補正７】
【補正対象書類名】明細書
【補正対象項目名】００５３
【補正方法】変更
【補正の内容】
【００５３】
＜開口条件＞
本発明の資源収集システムは、保護管２２の内側の圧力を保護管２２の外側の海底地層１８と同じ圧力まで上昇させた後に、複数の側壁孔２２ｂを開いても良い。
このような構成とすることで、本発明の資源収集システムは、故障しにくいので、長時間連続して安定的に稼働することができる。
【手続補正８】
【補正対象書類名】明細書
【補正対象項目名】００５４
【補正方法】変更
【補正の内容】
【００５４】
＜保護管凍結防止＞
本発明の資源収集システムは、保護管２２の側壁２２ａの軸方向の貫通孔２２ｃ又はらせん状の貫通孔の中に高圧熱水又は高圧蒸気を流すことによって、保護管２２とゲート管３４との間及び複数の側壁孔２２ｂの中での海水の凍結を防止しても良い。
このような構成とすることで、本発明の資源収集システムは、故障しにくいので、長時間連続して安定的に稼働することができる。
【手続補正９】
【補正対象書類名】明細書
【補正対象項目名】００５６
【補正方法】変更
【補正の内容】
【００５６】
＜ゲート管凍結防止＞
本発明の資源収集システムは、ゲート管３４の側壁３４ｃの軸方向の貫通孔３４ｅ又はらせん状の貫通孔の中に高圧熱水又は高圧蒸気を流すことによって、保護管２２とゲート管３４との間及び複数の側壁孔３４ｄの中での海水の凍結を防止しても良い。
このような構成とすることで、本発明の資源収集システムは、故障しにくいので、長時間連続して安定的に稼働することができる。
【手続補正１０】
【補正対象書類名】明細書
【補正対象項目名】００５８
【補正方法】変更
【補正の内容】
【００５８】
＜プレコーティング＞
本発明の資源収集システムは、高圧水にコーティング剤を混入し、複数の側壁孔２２ｂを閉じた状態で、コーティング剤を混入した高圧水を、資源を収集する時に資源がフィルタ２４の中を流れる方向と同じ方向に流すことによって、フィルタ２４をコーティングしても良い。
このような構成とすることで、本発明の資源収集システムは、故障しにくいので、長時間連続して安定的に稼働することができる。
【手続補正１１】
【補正対象書類名】明細書
【補正対象項目名】００６０
【補正方法】変更
【補正の内容】
【００６０】
＜逆洗浄＞
本発明の資源収集システムは、複数の側壁孔２２ｂを閉じた状態で、高圧水を、資源を収集する時に資源がフィルタ２４の中を流れる方向と逆方向に流すことによって、フィルタ２４の内部を洗浄しても良い。
このような構成とすることで、本発明の資源収集システムは、故障しにくいので、長時間連続して安定的に稼働することができる。
【手続補正１２】
【補正対象書類名】明細書
【補正対象項目名】００６２
【補正方法】変更
【補正の内容】
【００６２】
＜シャワーリング＞
本発明の資源収集システムは、さらに、複数の側壁孔２２ｂを閉じた状態で、高圧熱水又は高圧蒸気をフィルタ２４の表面に流すことによって、フィルタ２４の表面を洗浄しても良い。
このような構成とすることで、本発明の資源収集システムは、故障しにくいので、長時間連続して安定的に稼働することができる。
【手続補正１３】
【補正対象書類名】明細書
【補正対象項目名】００６４
【補正方法】変更
【補正の内容】
【００６４】
資源収集装置２０は、さらに、中央に配置された中央配管４２を備え、中央配管４２は、掘削装置１６の冷却用の冷却水供給管４２ａ、冷却水回収管４２ｂ、資源収集装置２０の内部への空気供給管４２ｃ、資源収集装置２０の内部からの排気ガス回収管４２ｄ、資源収集装置２０に必要な気体、液体、固体用の配管を収納する配管類収納管４２ｅ、及び資源収集装置２０に必要な電気配線を収納する配線類収納管４２ｆを含む。中央配管４２は、６重管の構成に限定されず、１つの管の内部に５つの独立管を収納した構成でも良い。資源収集装置２０の貯蔵タンク３６は、さらに、水、燃料ガス、発泡材の原液、導電粒子、破砕粒子、及びセメント粒子をそれぞれ一時的に貯蔵する領域を備えても良い。
【手続補正１４】
【補正対象書類名】明細書
【補正対象項目名】００６５
【補正方法】変更
【補正の内容】
【００６５】
＜二次保護管＞
本発明の資源収集システムを構成する資源収集装置２０は、さらに、二次保護管４４と二次フィルタ４６と二次ゲート管４８とを有しても良い。二次保護管４４は、フィルタ２４の内側に配置された二次側壁４４ａ及び二次側壁４４ａを貫通する複数の二次側壁孔４４ｂを備える。二次フィルタ４６は、二次保護管４４の内部に配置され、海底地層１８からの土砂を除去する。二次ゲート管４８は、複数の二次側壁孔４４ｂを開閉するためにフィルタ２４と二次保護管４４との間及び二次保護管４４と二次フィルタ４６との間の少なくとも一方に配置される。
このような構成とすることで、本発明の資源収集システムは、同時には故障しにくいので、長時間連続して安定的に稼働することができる。
【手続補正１５】
【補正対象書類名】明細書
【補正対象項目名】００７４
【補正方法】変更
【補正の内容】
【００７４】
＜コイルドチュービング装置、発泡材及び燃料ガス＞
本発明の資源収集システムを構成する資源収集装置２０は、資源収集管と保護管２２とコイルドチュービング装置６０とを有する。資源収集管は、海底地層１８から収集した資源を収集資源貯蔵タンク１２ａまで送る。保護管２２は、資源収集管に周設され、資源収集管を保護する。コイルドチュービング装置６０は、海面上又は保護管２２の内部に配置された巻取り用のリール６２から繰り出し装置６４によって繰り出され、保護管２２の側壁２２ａを貫通して内側から外側に伸びる。本発明の資源収集システムは、コイルドチュービング装置６０を通って、海底地層１８の中に発泡材の原液、燃料ガス、及び酸素を含む空気を供給し、発泡材の原液を互いに混合して燃料ガス６６ａ及び空気６６ｂを含む雰囲気中で発泡させ、発泡材６６ｃの空洞内に溜まった燃料ガス６６ａを爆発的に燃焼させることによって、海底地層１８を破砕する。本発明の資源収集管は、ガス収集管２６とオイル収集管２８とを含む。
このような構成とすることで、本発明の資源収集システムは、広範囲の海底地層を短時間で加熱できるので、より効率的に海底地層から資源を収集することができる。
【手続補正１６】
【補正対象書類名】明細書
【補正対象項目名】００７５
【補正方法】変更
【補正の内容】
【００７５】
発泡材６６ｃの空洞内に溜まった燃料ガス６６ａを爆発的に燃焼させることによって、海底地層１８の中に、より効率的に海底地層１８から資源を収集するための割れ目１８ａを入れることができる。コイルドチュービング装置６０は、コイルドチュービング装置の一例であり、小型の掘削装置を先端に備える。コイルドチュービング装置６０は、割れ目１８ａから噴出した資源を収集する資源収集管を内部に備えても良い。コイルドチュービング装置６０の数は、資源収集装置２０の内部に収納できれば、特に制限的ではない。発泡材の原液は、貯蔵タンク３６の内部に一時的に貯蔵する領域を設置して貯蔵しても良い。発泡材は、特に制限的ではないが、発泡ウレタンを使用する場合には、ポリイソシアネート及びポリオールの２液を原液とするものが好ましい。また、発泡シリコーンを使用する場合には、２成分型液状シリコーンの２液を原液とし、その２液を混合後攪拌して発泡させるものが好ましい。さらに、他の発泡ポリマを使用しても良い。燃料ガス６６ａの材料は、特に制限的ではないが、メタン、エタン、プロパン、ブタンのようなガスであるのが好ましい。燃料ガス６６ａは、海底地層１８から収集したガスを使用しても良い。なお、図９の燃料ガス６６ａ及び空気６６ｂは、別の球体として模式的に示されているが、発泡材６６ｃの空洞内には混合ガスとして供給されるので、燃料ガス６６ａ及び空気６６ｂが分離しているわけではない。水蒸気や温水などの温度の高い流体をメタンハイドレート層に注入してメタンハイドレートを分解させる方法を「加熱法」又は「熱刺激法」という。
【手続補正１７】
【補正対象書類名】明細書
【補正対象項目名】００７９
【補正方法】変更
【補正の内容】
【００７９】
＜点火配線＞
発泡材の原液を互いに混合して形成された発泡材６６ｃは、導電体金属又はカーボンナノチューブのような導電粒子６６ｄを含んでも良い。本発明の資源収集システムは、導電性を有する発泡材６６ｃとチューブ外壁７０又は混合室７４に露出しかつ電気的に絶縁された点火配線６８ｇとの間に高電圧を印加することによって、発泡材６６ｃの空洞内に溜まった燃料ガス６６ａ又はその代わりに発生させた燃料ガスに点火しても良い。
このような構成とすることで、本発明の資源収集システムは、広範囲の海底地層を短時間で加熱できるので、より効率的に海底地層から資源を収集することができる。
【手続補正１８】
【補正対象書類名】明細書
【補正対象項目名】００８１
【補正方法】変更
【補正の内容】
【００８１】
＜点火プラグ＞
本発明の資源収集システムは、チューブ外壁７０又は混合室７４に設けられた点火プラグ（図示せず）に高電圧を印加することによって、発泡材６６ｃの空洞内に溜まった燃料ガス６６ａ又はその代わりに発生させた燃料ガスに点火しても良い。
このような構成とすることで、本発明の資源収集システムは、広範囲の海底地層を短時間で加熱できるので、より効率的に海底地層から資源を収集することができる。
【手続補正１９】
【補正対象書類名】明細書
【補正対象項目名】００８２
【補正方法】変更
【補正の内容】
【００８２】
＜混合室洗浄＞
本発明の資源収集システムは、高圧水及び高圧空気の少なくとも一方を使用して混合室７４を洗浄しても良い。
このような構成とすることで、本発明の資源収集システムは、広範囲の海底地層を短時間で加熱できるので、より効率的に海底地層から資源を収集することができる。
【手続補正２０】
【補正対象書類名】明細書
【補正対象項目名】００８４
【補正方法】変更
【補正の内容】
【００８４】
次に、資源収集装置を構成するコイルドチュービング装置の変形例について説明する。
＜コイルドチュービング装置の側壁孔付き保護管＞
本発明の資源収集システムを構成する資源収集装置２０は、資源収集管と保護管２２とコイルドチュービング装置とを有する。資源収集管は、海底地層１８から収集した資源を収集資源貯蔵タンク１２ａまで送る。保護管２２は、資源収集管に周設され、資源収集管を保護する。コイルドチュービング装置は、海面上又は保護管２２の内部に配置された巻取り用のリール６２から繰り出し装置６４によって繰り出され、保護管２２の側壁２２ａを貫通して内側から外側に伸び、サブ資源収集管とサブ保護管とサブフィルタとサブゲート管とを有する。サブ資源収集管は、海底地層１８から収集した資源を収集資源管まで送る。サブ保護管は、サブ資源収集管に周設されたサブ側壁及びサブ側壁を貫通する複数のサブ側壁孔を備え、サブ資源収集管を保護する。サブフィルタは、サブ保護管の内部に配置され、海底地層１８からの土砂を除去する。サブゲート管は、複数のサブ側壁孔を開閉するためにサブ保護管の外側及びサブ保護管とサブフィルタとの間の少なくとも一方に配置される。
このような構成とすることで、本発明の資源収集システムは、広範囲の海底地層から資源を収集できるので、より効率的に海底地層から資源を収集することができる。
【手続補正２１】
【補正対象書類名】明細書
【補正対象項目名】００８６
【補正方法】変更
【補正の内容】
【００８６】
＜コイルドチュービング装置配置＞
本発明の資源収集システムを構成する資源収集装置２０のコイルドチュービング装置は、保護管２２の軸方向に対して少なくとも１つの位置に、各位置の周方向に所定の間隔で複数配置されても良い。
このような構成とすることで、本発明の資源収集システムは、広範囲の海底地層から資源を収集できるので、より効率的に海底地層から資源を収集することができる。
【手続補正２２】
【補正対象書類名】明細書
【補正対象項目名】００８７
【補正方法】変更
【補正の内容】
【００８７】
コイルドチュービング装置６０の数は、資源収集装置２０の内部に収納できれば、特に制限的ではない。
【手続補正２３】
【補正対象書類名】明細書
【補正対象項目名】００８８
【補正方法】変更
【補正の内容】
【００８８】
次に、本発明の第１の実施形態の資源収集システムを構成する破砕粒子について説明する。図１１は、破砕粒子のイメージ図である。
＜破砕粒子＞
本発明の資源収集システムを構成する資源収集装置２０は、高圧水供給管と資源収集管とを有する。高圧水供給管は、海底地層１８から資源を収集するために海底地層１８の中に高圧水を供給する。資源収集管は、海底地層１８から収集した資源を収集資源貯蔵タンク１２ａまで送る。本発明の資源収集システムは、高圧水供給管の中の高圧水に破砕粒子８０を混入し、破砕粒子８０を混入した高圧水によって、海底地層１８を破砕する。破砕粒子８０は、セメント粒子８２の外側に、遅効性発熱体８４、膨張体８６、速効性発熱体８８が順にコーティングされたものであり、遅効性発熱体８４は、高圧水の水分を吸収して発熱する材料をマイクロ波で焼成したものであり、膨張体８６は、高圧水の水分を吸収して膨張する材料で形成されたものであり、速効性発熱体８８は、遅効性発熱体８４と同一の材料を遅効性発熱体８４よりも短時間マイクロ波で焼成したもの、又はマイクロ波で焼成していないものである。本発明の資源収集管は、ガス収集管２６とオイル収集管２８とを含む。
このような構成とすることで、本発明の資源収集システムは、広範囲の海底地層を短時間で加熱できるので、より効率的に海底地層から資源を収集することができる。
【手続補正２４】
【補正対象書類名】明細書
【補正対象項目名】００９０
【補正方法】変更
【補正の内容】
【００９０】
次に、資源収集装置を構成する土砂排出装置について説明する。
＜土砂排出＞
本発明の資源収集システムを構成する資源収集装置２０は、資源収集管と保護管２２とフィルタ２４とを有する。資源収集管は、海底地層１８から収集した資源を収集資源貯蔵タンク１２ａまで送る。保護管２２は、資源収集管に周設され、資源収集管を保護する。フィルタ２４は、保護管２２の内部に配置され、海底地層１８からの土砂を除去する。本発明の資源収集システムは、高圧ポンプを使用して、フィルタ２４が除去した土砂を保護管２２の側壁２２ａの開口から海底地層１８に向かって押し出す。本発明の資源収集管は、ガス収集管２６とオイル収集管２８とを含む。
このような構成とすることで、本発明の資源収集システムは、土砂を溜めこまないので、小型にすることができる。
【手続補正２５】
【補正対象書類名】明細書
【補正対象項目名】００９１
【補正方法】変更
【補正の内容】
【００９１】
資源収集装置２０は、土砂排出装置９０を有し、土砂排出装置９０は、らせん状回転翼を回転させることによって、フィルタ２４が除去した土砂を保護管２２の側壁２２ａの方向に移動させる軸流ポンプと、その土砂を保護管２２の側壁２２ａの開口から海底地層１８に向かって押し出す高圧ポンプと、を備える。らせん状回転翼は、油圧モータ又はエアモータで駆動される。土砂排出装置９０は、土砂と共に余剰のコーティング剤を排出しても良い。本発明の資源収集システムは、土砂を排出する前に、土砂の中にセメント粒子を混入するのが好ましい。高圧ポンプの種類は、特に限定的ではないが、土砂を押し出す圧力の点でプランジャポンプが好ましい。土砂排出装置９０の数は、資源収集装置２０ｈの内部に収納できれば、特に制限的ではない。
【手続補正２６】
【補正対象書類名】明細書
【補正対象項目名】００９３
【補正方法】変更
【補正の内容】
【００９３】
＜電磁石＞
本発明の資源収集システムを構成する資源収集装置２０は、資源収集管と保護管２２とフィルタ１１０とを有する。資源収集管は、海底地層１８から収集した資源を収集資源貯蔵タンク１２ａまで送る。保護管２２は、資源収集管に周設され、資源収集管を保護する。フィルタ１１０は、保護管２２の内部に配置され、海底地層１８からの土砂を除去する。フィルタ１１０は、エレメント２４ａの内部に磁性体粉末付き珪藻土を保持するように配置された電磁石コイル１１２を備える。本発明の資源収集システムは、電磁石コイル１１２に通電することによって、電磁石コイル１１２による磁性体粉末付き珪藻土の保持力を発生させる。本発明の資源収集管は、ガス収集管２６とオイル収集管２８とを含む。
このような構成とすることで、本発明の資源収集システムは、故障しにくいので、長時間連続して安定的に稼働することができる。
【手続補正２７】
【補正対象書類名】明細書
【補正対象項目名】００９５
【補正方法】変更
【補正の内容】
【００９５】
＜永久磁石＞
本発明の資源収集システムを構成する資源収集装置２０は、資源収集管と保護管２２とフィルタ１２０とを有する。資源収集管は、海底地層１８から収集した資源を収集資源貯蔵タンク１２ａまで送る。保護管２２は、資源収集管に周設され、資源収集管を保護する。フィルタ１２０は、保護管２２の内部に配置され、海底地層１８からの土砂を除去する。フィルタ１２０は、永久磁石１２２と減磁手段とを備え、永久磁石１２２は、エレメント２４ａの内部に磁性体粉末付き珪藻土を保持するように配置され、減磁手段は、永久磁石１２２による磁性体粉末付き珪藻土の保持力を弱める。本発明の資源収集システムは、減磁手段を作動させることによって、永久磁石１２２が保持する磁性体粉末付き珪藻土の量を減らす。本発明の資源収集管は、ガス収集管２６とオイル収集管２８とを含む。
このような構成とすることで、本発明の資源収集システムは、故障しにくいので、長時間連続して安定的に稼働することができる。
【手続補正２８】
【補正対象書類名】明細書
【補正対象項目名】００９７
【補正方法】変更
【補正の内容】
【００９７】
＜永久磁石及び電磁石＞
本発明の資源収集システムを構成する資源収集装置２０の減磁手段は、永久磁石１２２と反対の極がそれぞれ隣接するように永久磁石１２２の内側又は外側に配置された電磁石コイル１２４であっても良い。本発明の資源収集システムは、電磁石コイル１２４に通電することによって、永久磁石１２２が保持する磁性体粉末付き珪藻土の量を減らしても良い。
このような構成とすることで、本発明の資源収集システムは、故障しにくいので、長時間連続して安定的に稼働することができる。
【手続補正２９】
【補正対象書類名】明細書
【補正対象項目名】０１００
【補正方法】変更
【補正の内容】
【０１００】
＜金属ワイヤフィルタ、繊維状金属フィルタ＞
本発明の資源収集システムを構成する資源収集装置２０は、資源収集管と保護管２２とフィルタ１４０とを有する。資源収集管は、海底地層１８から収集した資源を収集資源貯蔵タンク１２ａまで送る。保護管２２は、資源収集管に周設され、資源収集管を保護する。フィルタ１４０は、保護管２２の内部に配置され、海底地層１８からの土砂を除去する。フィルタ１４０は、らせん状金属ワイヤ１４２と支柱１４４とを備え、支柱１４４は、らせん状金属ワイヤ１４２の直線軸方向に伸びかつらせん状金属ワイヤ１４２に固定される。本発明の資源収集システムは、支柱１４４の長手方向の貫通孔１４４ａの中に高圧熱水又は高圧蒸気を流すことによって、らせん状金属ワイヤ１４２の表面での海水の凍結を防止する。本発明の資源収集管は、ガス収集管２６とオイル収集管２８とを含む。
このような構成とすることで、本発明の資源収集システムは、故障しにくいので、長時間連続して安定的に稼働することができる。
【手続補正３０】
【補正対象書類名】明細書
【補正対象項目名】０１０２
【補正方法】変更
【補正の内容】
【０１０２】
本発明の資源収集システムを構成する資源収集装置２０は、資源収集管と保護管２２とフィルタ１５０とを有する。資源収集管は、海底地層１８から収集した資源を収集資源貯蔵タンク１２ａまで送る。保護管２２は、資源収集管に周設され、資源収集管を保護する。フィルタ１５０は、保護管２２の内部に配置され、海底地層１８からの土砂を除去する。フィルタ１５０は、らせん状金属ワイヤ１５２と支柱１５４とを備え、支柱１５４は、らせん状金属ワイヤ１５２の直線軸方向に伸びかつらせん状金属ワイヤ１５２に固定される。本発明の資源収集システムは、らせん状金属ワイヤ１５２のらせん状の貫通孔１５２ａの中に高圧熱水又は高圧蒸気を流すことによって、らせん状金属ワイヤ１５２の表面での海水の凍結を防止する。本発明の資源収集管は、ガス収集管２６とオイル収集管２８とを含む。
このような構成とすることで、本発明の資源収集システムは、故障しにくいので、長時間連続して安定的に稼働することができる。
【手続補正３１】
【補正対象書類名】明細書
【補正対象項目名】０１０６
【補正方法】変更
【補正の内容】
【０１０６】
＜循環流可動管＞
本発明の資源収集システムを構成する資源収集装置２０は、資源収集管と保護管２２と循環流発生管１６２と電力供給装置とを有する。資源収集管は、海底地層１８から収集した資源を収集資源貯蔵タンク１２ａまで送る。保護管２２は、資源収集管に周設され、資源収集管を保護する。循環流発生管１６２は、保護管２２の内部にＵ字状に設けられ、海底地層１８と保護管２２との間に循環流を発生させる。電力供給装置は、循環流発生管１６２の途中に配置された高周波ヒータ１６４に電力を供給する。本発明の資源収集システムは、海底地層１８から収集される資源の量が減少した時に、循環流発生管１６２の両端に設けられた可動管１６６、１６８の角度を変えることによって、循環流の流路を短縮させると共に、可動管１６６、１６８から海底地層１８に向かって高圧熱水又は高圧蒸気を噴射させる。本発明の資源収集管は、ガス収集管２６とオイル収集管２８とを含む。
このような構成とすることで、本発明の資源収集システムは、周辺の海底地層を短時間で加熱できるので、より効率的に海底地層から資源を収集することができる。
【手続補正３２】
【補正対象書類名】明細書
【補正対象項目名】０１０７
【補正方法】変更
【補正の内容】
【０１０７】
循環流発生管１６２及び電力供給装置は、循環流発生装置１６０を構成する。高圧熱水又は高圧蒸気は、電力供給装置及び高圧ポンプを介して水供給装置１２ｂから供給されるものであり、超臨界水でも良い。海底地層１８から収集される資源の量が通常時の可動管１６６の位置は、上向きの位置ａであり、可動管１６８の位置は、下向きの位置ｂであり、海底地層１８から収集される資源の量が減少した時の可動管１６６の位置は、下向きの位置ｃであり、可動管１６８の位置は、上向きの位置ｄである。循環流発生装置１６０の数は、資源収集装置２０の内部に収納できれば、特に制限的ではない。可動管１６６、１６８の形状は、循環流の方向を変更できれば、特に制限的ではない。
【手続補正３３】
【補正対象書類名】明細書
【補正対象項目名】０１０９
【補正方法】変更
【補正の内容】
【０１０９】
＜強制循環＞
本発明の資源収集システムを構成する資源収集装置２０は、資源収集管と保護管２２と循環流発生管１６２と電力供給装置とを有する。資源収集管は、海底地層１８から収集した資源を収集資源貯蔵タンク１２ａまで送る。保護管２２は、資源収集管に周設され、資源収集管を保護する。循環流発生管１６２は、保護管２２の内部にＵ字状に設けられ、海底地層１８と保護管２２との間に循環流を発生させる。電力供給装置は、循環流発生管１６２の途中に配置された高周波ヒータ１６４に電力を供給する。本発明の資源収集システムは、循環流の流量が減少した時に、らせん状回転翼１７２、１７４を回転させることによって、循環流発生管１６２の中の土砂を循環流の方向に移動させる。本発明の資源収集管は、ガス収集管２６とオイル収集管２８とを含む。
このような構成とすることで、本発明の資源収集システムは、周辺の海底地層を短時間で加熱できるので、より効率的に海底地層から資源を収集することができる。
【手続補正３４】
【補正対象書類名】明細書
【補正対象項目名】０１１４
【補正方法】変更
【補正の内容】
【０１１４】
＜ジェットタービン＞
ジェットタービン１８０は、電力供給装置の一例であり、圧縮部１８２と燃焼室１８４とタービン１８６と発電手段１８８とを有する。圧縮部１８２は、取り込んだ空気を圧縮し、燃焼室１８４は、燃焼中の燃料ガスと圧縮空気との混合ガスを収容し、タービン１８６は、燃焼によって膨張したガスが流れる力をブレードが受けて回転し、発電手段１８８は、タービン１８６の回転によって発電する。
【手続補正３５】
【補正対象書類名】明細書
【補正対象項目名】０１１５
【補正方法】変更
【補正の内容】
【０１１５】
本発明の資源収集システムを構成する資源収集装置２０は、資源収集管と保護管２２と循環流発生管１６２と電力供給装置とを有する。資源収集管は、海底地層１８から収集した資源を収集資源貯蔵タンク１２ａまで送る。保護管２２は、資源収集管に周設され、資源収集管を保護する。循環流発生管１６２は、保護管２２の内部にＵ字状に設けられ、海底地層１８と保護管２２との間に循環流を発生させる。電力供給装置は、循環流発生管１６２の途中に配置された高周波ヒータ１６４に電力を供給する。電力供給装置は、ジェットタービン１８０を備え、ジェットタービン１８０は、海底地層１８から収集した資源を燃焼室１８４で燃焼させて発生した燃焼ガスで駆動され、循環流発生管１６２に高圧熱水又は高圧蒸気を供給する。本発明の資源収集管は、ガス収集管２６とオイル収集管２８とを含む。
このような構成とすることで、本発明の資源収集システムは、設置場所が海面上よりも圧倒的に近いので、必要なエネルギをより効率的に供給することができる。
【手続補正３６】
【補正対象書類名】明細書
【補正対象項目名】０１１６
【補正方法】変更
【補正の内容】
【０１１６】
高圧熱水又は高圧蒸気は、超臨界水でも良い。燃料ガスは、ガス収集管２６又はオイル収集管２８を通って燃焼室１８４に供給され、空気は、空気供給装置１２ｄから空気供給管４２ｃを通って圧縮部１８２に供給され、燃焼後のガスは、排気ガス回収管４２ｄを通って海面上の大気に排出される。電力供給装置の数は、資源収集装置２０の内部に収納できれば、特に制限的ではない。
【手続補正３７】
【補正対象書類名】明細書
【補正対象項目名】０１１７
【補正方法】変更
【補正の内容】
【０１１７】
＜水中バーナ＞
水中バーナ１９０は、電力供給装置の一部の変形例１であり、ノズル１９２と燃焼室１９４と燃焼安定器１９６と点火装置１９８とを有する。ノズル１９２は、燃料ガス及び加圧空気を燃焼室１９４に接線方向に吹き込み、燃焼室１９４は、燃焼中の燃料ガスと加圧空気との混合ガスを収容し、燃焼安定器１９６は、燃焼室１９４への液の逆流による燃焼の不安定化を防ぎ、点火装置１９８は、燃料ガスと加圧空気との混合ガスに点火する。混合ガスの燃焼によって膨張したガスが流れる力をブレードが受けてタービンが回転し、タービンの回転によって発電手段が発電する。
【手続補正３８】
【補正対象書類名】明細書
【補正対象項目名】０１１８
【補正方法】変更
【補正の内容】
【０１１８】
本発明の資源収集システムを構成する資源収集装置２０は、資源収集管と保護管２２と循環流発生管１６２と電力供給装置とを有する。資源収集管は、海底地層１８から収集した資源を収集資源貯蔵タンク１２ａまで送る。保護管２２は、資源収集管に周設され、資源収集管を保護する。循環流発生管１６２は、保護管２２の内部にＵ字状に設けられ、海底地層１８と保護管２２との間に循環流を発生させる。電力供給装置は、循環流発生管１６２の途中に配置された高周波ヒータ１６４に電力を供給する。電力供給装置は、タービンを備え、タービンは、海底地層１８から収集した資源を水中バーナ１９０で燃焼させて発生した燃焼ガス及び蒸気で駆動され、循環流発生管１６２に高圧熱水又は高圧蒸気を供給する。本発明の資源収集管は、ガス収集管２６とオイル収集管２８とを含む。
このような構成とすることで、本発明の資源収集システムは、設置場所が海面上よりも圧倒的に近いので、必要なエネルギをより効率的に供給することができる。
【手続補正３９】
【補正対象書類名】明細書
【補正対象項目名】０１２０
【補正方法】変更
【補正の内容】
【０１２０】
＜燃料電池、熱電変換装置＞
燃料電池２００は、電力供給装置の変形例２であり、燃料極２０２と電解質層２０４と空気極２０６とを有する。燃料極２０２に供給された水素は、電解質層２０４と接する面まで入り込んで、電子を遊離して水素イオンとなり、電子は外部に出て行き、電解質層２０４の中を移動した水素イオンは、空気極２０６に供給された酸素と外部から戻ってきた電子と反応して水になる。
【手続補正４０】
【補正対象書類名】明細書
【補正対象項目名】０１２１
【補正方法】変更
【補正の内容】
【０１２１】
本発明の資源収集システムを構成する資源収集装置２０は、資源収集管と保護管２２と循環流発生管１６２と電力供給装置とを有する。資源収集管は、海底地層１８から収集した資源を収集資源貯蔵タンク１２ａまで送る。保護管２２は、資源収集管に周設され、資源収集管を保護する。循環流発生管１６２は、保護管２２の内部にＵ字状に設けられ、海底地層１８と保護管２２との間に循環流を発生させる。電力供給装置は、循環流発生管１６２の途中に配置された高周波ヒータ１６４に電力を供給する。電力供給装置は、海底地層１８から収集した資源と高温の蒸気とを反応させて得られた水素を使用して電力を供給する燃料電池２００である。本発明の資源収集管は、ガス収集管２６とオイル収集管２８とを含む。
このような構成とすることで、本発明の資源収集システムは、設置場所が海面上よりも圧倒的に近いので、必要なエネルギをより効率的に供給することができる。
【手続補正４１】
【補正対象書類名】明細書
【補正対象項目名】０１２２
【補正方法】変更
【補正の内容】
【０１２２】
水素を得る反応に必要な資源は、ガス収集管２６又はオイル収集管２８を通って供給され、高温の蒸気は、ヒータを介して水供給装置１２ｂから供給され、電力供給反応後に生じる空気及び水は、資源収集装置２０の中で再利用される。電力供給装置は、燃料電池２００の代わりに、海底地層１８の中の熱水鉱床の熱を電力に変換して供給する熱電変換装置であっても良い。熱電変換装置は、ゼーベック効果を利用し、接合点の一方を高熱源、他方を低熱源に接触させて電位差を生じさせて熱エネルギを電気エネルギに変換する装置である。熱電変換装置は、先端に備えられた小型の掘削装置を使用して熱水鉱床の近くまで海底地層１８を掘削して伸びたコイルドチュービング装置６０の先端付近に備えられても良い。その場合には、高熱源は、海底地層１８の中の熱水鉱床にし、低熱源は、熱水鉱床から十分離れた海底地層１８にするのが好ましい。
【手続補正４２】
【補正対象書類名】明細書
【補正対象項目名】０１２７
【補正方法】変更
【補正の内容】
【０１２７】
本発明の資源収集システムを構成する資源収集装置２２０は、資源収集管と保護管２２２とフィルタ２４とゲート管２２４と二次保護管２２６と二次フィルタ４６と二次ゲート管２２８と循環流発生管２３０と電力供給装置とを有する。本発明の資源収集管は、ガス収集管２６とオイル収集管２８とを含む。資源収集装置２２０は、資源収集装置２０などの保護管２２、ゲート管３４に対する保護管２２２、ゲート管２２４の形状が異なる点、フィルタ２４及び二次フィルタ４６の長手方向の段数が異なる点、及び資源収集装置２０などの二次保護管４４、二次ゲート管４８、循環流発生管１６２に対する二次保護管２２６、二次ゲート管２２８、循環流発生管２３０の軸方向の長さが異なる点以外は同一の構成を有するものであるので、同一の構成要素及び段数又は長さのみが異なる構成要素の説明を省略する。
【手続補正４３】
【補正対象書類名】明細書
【補正対象項目名】０１２８
【補正方法】変更
【補正の内容】
【０１２８】
＜半球状底壁＞
本発明の資源収集システムを構成する資源収集装置２２０の保護管２２２は、側壁の一端から伸びる半球状の底壁２２２ａ及び底壁２２２ａを貫通する複数の底壁孔２２２ｂを備えても良い。
このような構成とすることで、本発明の資源収集システムは、より近くの海底地層から資源を収集できるので、より効率的に海底地層から資源を収集することができる。
【手続補正４４】
【補正対象書類名】明細書
【補正対象項目名】０１３５
【補正方法】変更
【補正の内容】
【０１３５】
１０、２１０  全体構成
１２  構造物
１２ａ  収集資源貯蔵タンク
１２ｂ  水供給装置
１２ｃ  燃料ガス供給装置
１２ｄ  空気供給装置
１２ｅ  発泡材原液供給装置
１２ｆ  導電粒子供給装置
１２ｇ  破砕粒子供給装置
１２ｈ  セメント粒子供給装置
１４  接続管
１６  掘削装置
１８、２１２  海底地層
１８ａ、２１２ａ  割れ目
２０、２２０  資源収集装置
２２、２２２  保護管
２２ａ、３４ｃ  側壁
２２ｂ、３４ｄ  側壁孔
２２ｃ、２４ｃ、３４ｅ、１４４ａ、１５２ａ、２２２ｃ、２２４ｅ  貫通孔
２４、１００、１１０、１２０、１４０、１５０  フィルタ
２４ａ  エレメント
２４ｂ、１４６、１５６  資源収集孔
２６、２６ａ、２６ｂ  ガス収集管
２８、２８ａ、２８ｂ  オイル収集管
３０  ガス貯留室
３２  オイル貯留室
３４、２２４  ゲート管
３４ａ、２２４ａ  外側ゲート管
３４ｂ、２２４ｂ  内側ゲート管
３６  貯蔵タンク
３８ａ、３８ｂ、３８ｃ、３８ｄ  上側配管
４０ａ、４０ｂ、４０ｃ、４０ｄ  下側配管
４２  中央配管
４２ａ  冷却水供給管
４２ｂ  冷却水回収管
４２ｃ  空気供給管
４２ｄ  排気ガス回収管
４２ｅ  配管類収納管
４２ｆ  配線類収納管
４４、２２６  二次保護管
４４ａ、４８ｃ  二次側壁
４４ｂ、４８ｄ  二次側壁孔
４４ｃ、４６ｃ、４８ｅ  二次貫通孔
４６  二次フィルタ
４６ａ  二次エレメント
４６ｂ  二次資源収集孔
４８、２２８  二次ゲート管
４８ａ  二次外側ゲート管
４８ｂ  二次内側ゲート管
５０、５０ａ、５０ｂ  二次ガス収集管
５２、５２ａ、５２ｂ  二次オイル収集管
５４  二次ガス貯留室
５６  二次オイル貯留室
５８ａ  フィルタ固定板
５８ｂ  中央案内板
５８ｃ  外側案内板
５８ｄ  内側案内板
６０  コイルドチュービング装置
６２  リール
６４  繰り出し装置
６６ａ  燃料ガス
６６ｂ  空気
６６ｃ  発泡材
６６ｄ  導電粒子
６８ａ  燃料ガス供給管
６８ｂ  空気供給管
６８ｃ  発泡材原液供給管
６８ｄ  導電粒子供給管
６８ｅ  高圧水供給管
６８ｆ  高圧空気供給管
６８ｇ  点火配線
７０  チューブ外壁
７２  開口
７４  混合室
８０  破砕粒子
８２  セメント粒子
８４  遅効性発熱体
８６  膨張体
８８  速効性発熱体
９０  土砂排出装置
１１２、１２４  電磁石コイル
１２２  永久磁石
１３０  減磁手段
１３２  操作部
１３４  本体
１３６  永久磁石
１３８  対象物
１４２、１５２  らせん状金属ワイヤ
１４４、１５４  支柱
１６０  循環流発生装置
１６２、２３０  循環流発生管
１６４  高周波ヒータ
１６６、１６８  可動管
１７０  蒸気噴射部
１７０ａ、１７０ｂ  蒸気噴射孔
１７２、１７４  らせん状回転翼
１８０  ジェットタービン
１８２  圧縮部
１８４、１９４  燃焼室
１８６  タービン
１８８  発電手段
１９０  水中バーナ
１９２  ノズル
１９６  燃焼安定器
１９８  点火装置
２００  燃料電池
２０２  燃料極
２０４  電解質層
２０６  空気極
２２２ａ、２２４ｃ  底壁
２２２ｂ、２２４ｄ  底壁孔